(57)【要約】      （修正有）【課題】防水性が良好で、且つ、取付けが容易な防水型コネクタを提供すること。【解決手段】ケーブルの端部に固着された第１コネクタと、この第１コネクタが着脱自在に接続される第２コネクタと、これら第１コネクタと第２コネクタとの接続部を覆うカバーとからなる防水型コネクタであって、第１コネクタには、ケーブルの軸方向と直交する方向において第１シール面及び第２シール面が形成され、第２コネクタには、その外周面に雄ネジ部が形成されると共に、第１コネクタの第１シール面に対向するシール面が形成され、カバーには、その内周面に雌ネジ部が形成されると共に、第１コネクタの第２シール面に対向するシール面が形成され、且つ、第１コネクタの第１シール面と第２コネクタのシール面との間に第１シール部材が配設されることを特徴とするものである。【選択図】図２
2008004297.tif 000002
【特許請求の範囲】
【請求項１】
ケーブルの端部に固着された第１コネクタと、この第１コネクタが着脱自在に接続される第２コネクタと、これら第１コネクタと第２コネクタとの接続部を覆うカバーとからなる防水型コネクタであって、
第１コネクタには、ケーブルの軸方向と直交する方向において第１シール面及び第２シール面が形成され、
第２コネクタには、その外周面に雄ネジ部が形成されると共に、第１コネクタの第１シール面に対向するシール面が形成され、
カバーには、その内周面に雌ネジ部が形成されると共に、第１コネクタの第２シール面に対向するシール面が形成され、且つ、
第１コネクタの第１シール面と第２コネクタのシール面との間に第１シール部材が配設されると共に、第１コネクタの第２シール面とカバーのシール面との間に第２シール部材が配設された状態で、第２コネクタの雄ネジ部とカバーの雌ネジ部とが螺合されていることを特徴とする防水型コネクタ。
【請求項２】
請求項１に記載の防水型コネクタであって、
第１コネクタ及び第２コネクタのそれぞれが金属製のコネクタ部に固着された樹脂部材を備えると共に、第１コネクタの第１シール面及び第２コネクタのシール面が、それぞれの樹脂部材に形成されていることを特徴とする防水型コネクタ。
【請求項３】
請求項１又は２に記載の防水型コネクタであって、
第２コネクタが金属製のコネクタ部に固着された樹脂部材を備えると共に、この樹脂部材にカバーの雌ネジ部と螺合される雄ネジ部が形成され、且つ、カバーが第２コネクタの樹脂部材と同色の樹脂で形成されていることを特徴とする防水型コネクタ。
【発明の詳細な説明】
【技術分野】
【０００１】
本発明は、ケーブルの端部に固着された第１コネクタと、この第１コネクタが着脱自在に接続される第２コネクタと、これら第１コネクタと第２コネクタとの接続部を覆うカバーとからなる防水型コネクタに関する。
【背景技術】
【０００２】
ケーブルの端部に固着された第１コネクタと、この第１コネクタが着脱自在に接続される第２コネクタと、これら第１コネクタと第２コネクタとの接続部を覆うカバーとからなる防水型コネクタは、例えば特許文献１又は特許文献２に開示されている。また、斯かる防水型コネクタは、例えば特許文献３に開示された如き残留塩素計において、その本体とセンサユニットから伸長するケーブルとの接続に用いられる。
【０００３】
【特許文献１】特開平１０−２６１４５０号公報
【特許文献２】特開２００１−５２８２１号公報
【特許文献３】特開２００５−１２７７６３号公報
【発明の開示】
【発明が解決しようとする課題】
【０００４】
これら公知の防水型コネクタは、例えばバヨネット方式の同軸コネクタを接続させ、その上からカバーを装着することによって防水を図るものであるところ、コネクタを接続させた上でカバーを装着するという２重の手間を要する。また、例えば同一の対象物に対して複数の防水型コネクタを用いて複数のケーブルを接続するような場合には、接続すべきケーブルの取違いなど、取付けミスが発生することもある。
【０００５】
本発明は、上述の如き課題を解決すること、即ち、防水性が良好で、且つ、取付けが容易な防水型コネクタを提供することを目的とする。更に、複数の防水型コネクタを用いる場合でも取付けミスの生じ難い防水型コネクタを提供することを目的とする。
【課題を解決するための手段】
【０００６】
本発明の防水型コネクタは、ケーブルの端部に固着された第１コネクタと、この第１コネクタが着脱自在に接続される第２コネクタと、これら第１コネクタと第２コネクタとの接続部を覆うカバーとからなる防水型コネクタであって、第１コネクタには、ケーブルの軸方向と直交する方向において第１シール面及び第２シール面が形成され、第２コネクタには、その外周面に雄ネジ部が形成されると共に、第１コネクタの第１シール面に対向するシール面が形成され、カバーには、その内周面に雌ネジ部が形成されると共に、第１コネクタの第２シール面に対向するシール面が形成され、且つ、第１コネクタの第１シール面と第２コネクタのシール面との間に第１シール部材が配設されると共に、第１コネクタの第２シール面とカバーのシール面との間に第２シール部材が配設された状態で、第２コネクタの雄ネジ部とカバーの雌ネジ部とが螺合されていることを特徴とするものである。
【０００７】
また、本発明の防水型コネクタは、第１コネクタ及び第２コネクタのそれぞれが金属製のコネクタ部に固着された樹脂部材を備えると共に、第１コネクタの第１シール面及び第２コネクタのシール面が、それぞれの樹脂部材に形成されていることを更なる特徴とするものである。
【０００８】
また、本発明の防水型コネクタは、第２コネクタが金属製のコネクタ部に固着された樹脂部材を備えると共に、この樹脂部材にカバーの雌ネジ部と螺合される雄ネジ部が形成され、且つ、カバーが第２コネクタの樹脂部材と同色の樹脂で形成されていることを更なる特徴とするものである。
【発明の効果】
【０００９】
本発明の防水型コネクタでは、第２コネクタの雄ネジ部とカバーの雌ネジ部とを螺合するだけで、その締付力によってカバーのシール面が第２シール部材を介して第１コネクタの第２シール面を押圧し、第１コネクタの第１シール面が第１シール部材を介して第２コネクタのシール面を押圧して良好な防水性が得られると同時に、第１コネクタが第２コネクタに容易に接続されるものである。即ち、第１コネクタと第２コネクタとを接続した上でカバーを装着するという２重の手間を必要としない。
【００１０】
ここで、本発明の防水型コネクタにおいて、第１コネクタの第１シール面及び第２コネクタのシール面が樹脂部材に形成されているときは、各シール面と両者間に狭持される第１シール部材との密着性が高まり、特に高い防水性を要求される第１コネクタと第２コネクタとの間において、一層良好な防水効果を得ることができる。
【００１１】
また、本発明の防水型コネクタにおいて、第２コネクタの樹脂部材に雄ネジ部が形成され、且つ、カバーがこの樹脂部材と同色で形成されているときは、同一の対象物に対して複数の防水型コネクタを用いて複数のケーブルを接続するような場合においても、第２コネクタ（樹脂部材）とカバーとの色を適切に組合せることで、接続すべきケーブルの取違いなどといった取付けミスの発生を抑制することが可能となる。
【発明を実施するための最良の形態】
【００１２】
本発明の防水型コネクタは、ケーブルの端部に固着された第１コネクタと、この第１コネクタが着脱自在に接続される第２コネクタと、これら第１コネクタと第２コネクタとの接続部を覆うカバーとからなる防水型コネクタであって、第１コネクタには、ケーブルの軸方向と直交する方向において第１シール面及び第２シール面が形成され、第２コネクタには、その外周面に雄ネジ部が形成されると共に、第１コネクタの第１シール面に対向するシール面が形成され、カバーには、その内周面に雌ネジ部が形成されると共に、第１コネクタの第２シール面に対向するシール面が形成され、且つ、第１コネクタの第１シール面と第２コネクタのシール面との間に第１シール部材が配設されると共に、第１コネクタの第２シール面とカバーのシール面との間に第２シール部材が配設された状態で、第２コネクタの雄ネジ部とカバーの雌ネジ部とが螺合されているものである。
【００１３】
また、本発明の防水型コネクタは、より好ましくは、第１コネクタ及び第２コネクタのそれぞれが金属製のコネクタ部に固着された樹脂部材を備えると共に、第１コネクタの第１シール面及び第２コネクタのシール面が、それぞれの樹脂部材に形成されているものである。
【００１４】
また、本発明の防水型コネクタは、より好ましくは、第２コネクタが金属製のコネクタ部に固着された樹脂部材を備えると共に、この樹脂部材にカバーの雌ネジ部と螺合される雄ネジ部が形成され、且つ、カバーが第２コネクタの樹脂部材と同色の樹脂で形成されているものである。
【実施例】
【００１５】
以下、本発明の好適な実施例を、図面を参照して説明する。図１は、本発明の実施例たる防水型コネクタを採用した計測装置の外観図である。図２は、図１の部分断面図であって、防水型コネクタの接続状態を示す断面図である。図３は、この防水型コネクタの第１コネクタ及びカバーの断面図である。図４は、この防水型コネクタの第２コネクタの断面図である。
【００１６】
計測装置１は、ｐＨセンサ及びＣｌセンサとしての機能を備え、水質検査等に供し得るものである。図１に示すように、その本体１０には、操作部１１及び表示部１２が配設されており、更に、ｐＨセンサユニット（不図示）をケーブル２０１を介して本体１０に接続するための防水型コネクタ２０、及びＣｌセンサユニット（不図示）をケーブル３０１を介して本体１０に接続するための防水型コネクタ３０が、それぞれ配設されている。なお、この計測装置１の測定機能については、本発明に直接かかわるものではないため、説明は割愛する。また、防水型コネクタ２０と防水型コネクタ３０とは、色が異なる（後述）のみで同じ構造を有するため、以下は防水型コネクタ２０についての説明だけに止め、防水型コネクタ３０の説明は割愛する。
【００１７】
ｐＨセンサユニットを接続するための防水型コネクタ２０は、図２に示すように、ケーブル２０１の端部に固着された第１コネクタ２１と、この第１コネクタ２１が着脱自在に接続される第２コネクタ２２と、これら第１コネクタ２１と第２コネクタ２２との接続部を覆うカバー２３とで構成されている。
【００１８】
第１コネクタ２１は、所謂オス側コネクタとして機能するもので、図２及び図３に示すように、公知のバヨネット式コネクタを基礎としてその一部に加工が施された金属コネクタ２１１と、この金属コネクタ２１１に固着された樹脂部材２１４とで構成されている。金属コネクタ２１１は、ケーブル２０１がかしめによって固着された小径部２１２と、後述する第２コネクタ２２に接続される大径部２１３とを備え、この大径部２１３には加工が施されて樹脂部材２１４が嵌着され、接着剤によって強固に固着されている。この樹脂部材２１４は、金属コネクタ２１１の大径部２１３よりも若干大きな外径を備えた円筒形に形成され、その開口端部には、ケーブル２０１の軸方向Ｘと直行する方向Ｙに、第１シール面２１４ａが形成されている。また、金属コネクタ２１１の小径部２１２と大径部２１３とを接続する段差部分２１５には、ケーブル２０１の軸方向Ｘと直行する方向Ｙに形成された第２シール面２１５ａが形成されている。
【００１９】
第２コネクタ２２は、所謂メス側コネクタとして機能するもので、図２及び図４に示すように、公知のバヨネット式コネクタを基礎としてその一部に加工が施された金属コネクタ２２１と、この金属コネクタ２２１の第１コネクタ２１に接続される端部と反対側の端部において嵌着され、接着剤によって強固に固着された樹脂部材２２２とで構成されている。この樹脂部材２２２は、円筒形に形成され、本体１０のコネクタ取付孔１０１に挿入される小径部２２３と、金属コネクタ２２１が嵌着される大径部２２４と、小径部２２３と大径部２２４との間において大径部２２４よりも更に大径に形成されたつば部２２５とを備え、大径部２２４には、その外周面に雄ネジ部２２６が形成されると共に、その開口端部には、第１コネクタ２１の第１シール面２１４ａに対向するシール面２２４ａが形成されている。そして、このシール面２２４ａに密着するように、第１シール部材たる円環状のゴムパッキン２４が、金属コネクタ２２１に嵌着させられている。
【００２０】
カバー２３は、樹脂製で、図２及び図３に示すように、その内部には、第１コネクタ２１の金属コネクタ２１１の小径部２１２よりも若干大きな内径に形成された小径通路部２３１と、樹脂部材２１４の外径よりも若干大きいか又は略同一の内径に形成された大径通路部２３２とが形成されている。そして、小径通路部２３１の一端は更に絞り込まれた小径開口部２３３を介して外部に連通し、大径開口部２３２の一端は大径開口部２３４を介して外部に連通していると共に、小径通路部２３１と大径通路部２３２とを接続する段差部分２３５には、第１コネクタ２１の第２シール面２１５ａに対向するシール面２３５ａが形成されている。また、大径通路部２３２の大径開口部２３４側の内周面には、第２コネクタ２２の雄ネジ部２２６に螺合させるための雌ネジ部２３６が形成されている。
【００２１】
第１コネクタ２１と第２コネクタ２２とカバー２３とからなる防水型コネクタ２０は、図２に示す如く接続される。なお、第２コネクタ２２は、その樹脂部材２２２の小径部２２３が本体１０のコネクタ取付孔１０１に挿入されて、ナット１０２によって本体１０に強固に取付けられている。
【００２２】
まず、第１コネクタ２１とカバー２３とは、図３に示すように、カバー２３の小径開口部２３３にケーブル２０１が通されると共に、カバー２３の小径通路部２３１に金属コネクタ２１１の小径部２１２が僅かな間隙を介して挿入され、カバー２３の大径通路部２３２に金属コネクタ２１１の大径部２１３がこれに固着された樹脂部材２１４と共に僅かな間隙を介して挿入されて、以ってカバー２３が第１コネクタ２１を覆うように予め一体化されている。このとき、第１コネクタ２１の第２シール面２１５ａとカバー２３のシール面２３５ａとの間には、第２シール部材たる円環状のゴムパッキン２５が配設される。なお、カバー２３は、ケーブル２０１に沿って摺動可能とされている。
【００２３】
そして、図２の如く、第１コネクタ２１を覆ったままカバー２３の雌ネジ部２３６を第２コネクタ２２の雄ネジ部２２６に螺合してゆくと、第１コネクタ２１の金属コネクタ２１１と第２コネクタ２２の金属コネクタ２２１とが互いに嵌着されると共に、これら両コネクタはカバー２３で覆われることとなる。同時に、この螺合の際の締付力により、カバー２３のシール面２３５ａが第２シール部材たるゴムパッキン２５を介して第１コネクタ２１の第２シール面２１５ａを押圧し、第１コネクタ２１の第１シール面２１４ａが第１シール部材たるゴムパッキン２４を介して第２コネクタ２２のシール面２２４ａを押圧することとなるため、良好な防水性が得られる。
【００２４】
ここで、第１コネクタ２１の第１シール面２１４ａが樹脂部材２１４に形成され、第２コネクタ２２のシール面２２４ａが樹脂部材２２２に形成されているため、これら各シール面と第１シール部材たるゴムパッキン２４との密着性は極めて高く、特に高い防水性を要求される第１コネクタ２１と第２コネクタ２２との間において、極めて良好な防水効果が得られている。
【００２５】
更に、便宜上、図面には反映されていないが、第２コネクタ２２の樹脂部材２２２は黒色で、カバー２３も樹脂部材２２２と同色の黒色とされている。他方で、この防水型コネクタ２０と同一の構造を有する防水型コネクタ３０においては、その第２コネクタとカバーとは共に白色とされている。従って、例えばｐＨセンサユニットを本体１０に接続する際には、第１コネクタ２１のカバー２３と同色の第２コネクタ２２を選んで接続すればよく、防水型コネクタ２０と防水型コネクタ３０とを取違えて接続するといった取付けミスの発生も抑制されるものである。
【００２６】
以上、本発明による防水型コネクタの実施の形態について説明してきたが、本発明は、実施例の構成に限定されることなく、特許請求の範囲に記載した構成を備える限りにおいて、様々な変形が可能である。例えば、第１コネクタ２１の第２シール面２１５ａは金属コネクタ２１３に形成されているが、この金属コネクタ２１３とゴムパッキン２５との間に樹脂部材２１４と同様の樹脂部材を配設することで（即ち、第２シール面２１５ａを樹脂部材に形成することで）、第２シール面２１５ａと第２シール部材たるゴムパッキン２５の密着性を高めることもできる。また、本発明の防水型コネクタは、ｐＨセンサやＣｌセンサの機能を備えた計測装置において用いるのみならず、高い防水性と簡便な接続、更には取付けミスの発生防止が必要な様々な装置において広く利用し得るものである。
【図面の簡単な説明】
【００２７】
【図１】本発明の実施例たる防水型コネクタを採用した計測装置の外観図
【図２】図１の部分断面図であって、防水型コネクタの接続状態を示す断面図
【図３】この防水型コネクタの第１コネクタ及びカバーの断面図
【図４】この防水型コネクタの第２コネクタの断面図
【符号の説明】
【００２８】
１  計測装置
１０  本体
２０、３０  防水型コネクタ
２０１、３０１  ケーブル
２１  第１コネクタ
２１１  金属コネクタ
２１２  小径部
２１３  大径部
２１４  樹脂部材
２１４ａ  第１シール面
２１５  段差部
２１５ａ  第２シール面
２２  第２コネクタ
２２１  金属コネクタ
２２２  樹脂部材
２２３  小径部
２２４  大径部
２２４ａ  シール面
２２５  つば部
２２６  雄ネジ部
２３  カバー
２３１  小径通路部
２３２  大径通路部
２３３  小径開口部
２３４  大径開口部
２３５  段差部
２３５ａ  シール面
２３６  雌ネジ部
２４  ゴムパッキン（第１シール部材）
２５  ゴムパッキン（第２シール部材）
【図１】
2008004297.tif 000003
【図２】
2008004297.tif 000004
【図３】
2008004297.tif 000005
【図４】
2008004297.tif 000006